(57)【要約】【課題】貨幣収納カセットに収納される貨幣以外の媒体を収納する媒体収納具を媒体収納具保管手段により保管させることによって、このような貨幣収納カセットに収納される貨幣以外の媒体の処理をいつでも行うことができるようになり、よってカセット保管装置の利便性を向上させることができる貨幣処理システム、カセット保管装置および保管方法を提供する。【解決手段】貨幣処理システムは、貨幣処理装置（例えば、貨幣釣銭機２０）と、貨幣を収納する貨幣収納カセットを保管するためのカセット保管装置３０とを備えている。カセット保管装置３０には、貨幣収納カセットに収納される貨幣以外の媒体を収納する媒体収納具（例えば、媒体収納袋８４）を保管する媒体収納具保管手段（例えば、媒体収納具保管ユニット３０ｃ）が設けられている。【選択図】図２
2018147130.tif 000002
【特許請求の範囲】
【請求項１】
貨幣処理装置と、
貨幣を収納する貨幣収納カセットを保管するためのカセット保管装置と、
を備えた貨幣処理システムであって、
前記貨幣収納カセットは前記貨幣処理装置および前記カセット保管装置にそれぞれ着脱自在に装着されるようになっており、
前記カセット保管装置には、前記貨幣収納カセットに収納される貨幣以外の媒体を収納する媒体収納具を保管する媒体収納具保管手段が設けられている、貨幣処理システム。
【請求項２】
前記媒体収納具保管手段は、前記媒体収納具が収容される収容部を含む、請求項１記載の貨幣処理システム。
【請求項３】
前記媒体収納具には当該媒体収納具の識別情報を示す識別部材が設けられており、
前記収容部には、前記媒体収納具に設けられた識別部材における識別情報を読み取る読取部が設けられている、請求項２記載の貨幣処理システム。
【請求項４】
１つの前記収容部に複数の前記媒体収納具が収容されるようになっている、請求項２または３記載の貨幣処理システム。
【請求項５】
１つの前記収容部に１つの前記媒体収納具が収容されるようになっている、請求項２または３記載の貨幣処理システム。
【請求項６】
複数の精算所に対応するよう複数の前記収容部が設けられている、請求項５記載の貨幣処理システム。
【請求項７】
前記貨幣処理装置の管理権限と前記カセット保管装置の管理権限とが互いに異なるようになっている、請求項１乃至６のいずれか一項に記載の貨幣処理システム。
【請求項８】
前記貨幣収納カセットが着脱自在に装着され、貨幣の入金処理および出金処理を行う貨幣入出金装置を更に備えた、請求項１乃至７のいずれか一項に記載の貨幣処理システム。
【請求項９】
前記貨幣入出金装置に装着された前記貨幣収納カセットの処理状態に係る情報を出力する出力手段が設けられている、請求項８記載の貨幣処理システム。
【請求項１０】
前記出力手段は、前記貨幣収納カセットの処理状態に係る情報として、当該貨幣収納カセットに収納されている貨幣の精算が終了したか否かに係る情報を出力する、請求項９記載の貨幣処理システム。
【請求項１１】
前記出力手段は、前記貨幣収納カセットの処理状態に係る情報として、当該貨幣収納カセットに収納されている貨幣の情報を出力する、請求項９記載の貨幣処理システム。
【請求項１２】
前記カセット保管装置は、操作者の権限を認証する認証手段および前記貨幣収納カセットをロックするロック機構を有しており、
前記カセット保管装置から前記貨幣収納カセットを取り出す際に、前記認証手段により認証された操作者の権限に対応する前記ロック機構による前記貨幣収納カセットのロックのみが解除されるようになっている、請求項１乃至１１のいずれか一項に記載の貨幣処理システム。
【請求項１３】
前記認証手段により認証された操作者の権限が予め設定されている特定の権限である場合にのみ前記媒体収納具保管手段から前記媒体収納具を取り出すことができるようになっている、請求項１２記載の貨幣処理システム。
【請求項１４】
貨幣処理装置に着脱自在に装着される、貨幣を収納する貨幣収納カセットを保管するためのカセット保管装置であって、
前記貨幣収納カセットを保管するカセット保管手段と、
前記貨幣収納カセットに収納される貨幣以外の媒体を収納する媒体収納具を保管する媒体収納具保管手段と、
を備えた、カセット保管装置。
【請求項１５】
貨幣処理装置に着脱自在に装着される、貨幣を収納する貨幣収納カセットを保管するためのカセット保管装置による保管方法であって、
前記貨幣収納カセットをカセット保管手段により保管させる工程と、
前記貨幣収納カセットに収納される貨幣以外の媒体を収納する媒体収納具を媒体収納具保管手段により保管させる工程と、
を備えた、保管方法。
【発明の詳細な説明】
【技術分野】
【０００１】
本発明は、貨幣処理装置および貨幣を収納する貨幣収納カセットを保管するためのカセット保管装置を備えた貨幣処理システム、カセット保管装置および保管方法に関する。
【背景技術】
【０００２】
スーパーマーケットやコンビニエンスストア等の店舗において、商品棚が設置されるフロント領域の精算所には貨幣釣銭機が設置されるとともに顧客が立ち入ることができないバックヤード領域には出納機等の入出金機が設置されるようになっている。ここで、フロント領域の精算所に設置される貨幣釣銭機は、商品と引き換えに顧客から店員に手渡された貨幣の入金処理を行うとともに、釣銭としての貨幣の出金処理を行うことができるようになっている。また、バックヤード領域に設置される出納機等の入出金機は、貨幣釣銭機から回収された売上金としての貨幣の入金処理を行うとともに、貨幣釣銭機に補充されるべき釣銭補充金としての貨幣の出金処理を行うようになっている。また、貨幣釣銭機と入出金機との間で紙幣収納カセットにより紙幣の授受を行うようになっている。具体的には、紙幣収納カセットは、貨幣釣銭機や入出金機に装着されたときにこれらの貨幣釣銭機や入出金機の内部から送られた紙幣を例えば積層状態で収納したり、既に収納されている紙幣を１枚ずつ繰り出して貨幣釣銭機や入出金機の内部に送ったりするようになっている。また、店舗のバックヤード領域に、このような紙幣収納カセットを保管するカセット保管装置を設けることが考えられる。このようなカセット保管装置としては、例えば特許文献１等に開示されるものが従来から知られている。
【先行技術文献】
【特許文献】
【０００３】
【特許文献１】特許第４８８７９５７号
【発明の概要】
【発明が解決しようとする課題】
【０００４】
上述したスーパーマーケットやコンビニエンスストア等の店舗では、営業時間後に貨幣釣銭機から貨幣を回収し、この回収された貨幣をバックヤード領域で管理するようになっている。具体的には、貨幣釣銭機から回収された貨幣を入出金機に入金したり、出納担当者が精算を行ったりするようになっている。
【０００５】
また、バックヤード領域にカセット保管装置が設けられている場合には、回収された紙幣が収納されている紙幣収納カセットをカセット保管装置に保管しておき、翌営業日に紙幣収納カセットに収納されている紙幣の処理を行うこともできる。一方、営業時間後に貨幣釣銭機から硬貨や貨幣以外の媒体（例えば、商品券等）が回収されたり、貨幣釣銭機のプリンタ等により印刷されたレシート（ジャーナル）をバックヤード領域で管理したりする場合には、貨幣釣銭機のレジ担当者は営業時間後にこれらの硬貨や貨幣以外の媒体、レシート等を収納袋に入れるようになる。この場合には、レジ担当者によってバックヤード領域に運搬された収納袋に収納されている硬貨や貨幣以外の媒体、レシート等の処理を出納担当者が行うが、このような作業は営業時間後に行われるため、出納担当者が夜遅くまで店舗に残らなければならないという問題があった。
【０００６】
本発明は、このような点を考慮してなされたものであり、貨幣収納カセットに収納される貨幣以外の媒体を収納する媒体収納具を媒体収納具保管手段により保管させることによって、このような貨幣収納カセットに収納される貨幣以外の媒体の処理をいつでも行うことができるようになり、よってカセット保管装置の利便性を向上させることができる貨幣処理システム、カセット保管装置および保管方法を提供することを目的とする。
【課題を解決するための手段】
【０００７】
本発明の貨幣処理システムは、貨幣処理装置と、貨幣を収納する貨幣収納カセットを保管するためのカセット保管装置と、を備えた貨幣処理システムであって、前記貨幣収納カセットは前記貨幣処理装置および前記カセット保管装置にそれぞれ着脱自在に装着されるようになっており、前記カセット保管装置には、前記貨幣収納カセットに収納される貨幣以外の媒体を収納する媒体収納具を保管する媒体収納具保管手段が設けられていることを特徴とする。
【０００８】
このような貨幣処理システムによれば、貨幣収納カセットに収納される貨幣以外の媒体を収納する媒体収納具を媒体収納具保管手段により保管させることによって、このような貨幣収納カセットに収納される貨幣以外の媒体の処理をいつでも行うことができるようになり、よってカセット保管装置の利便性を向上させることができる。
【０００９】
本発明の貨幣処理システムにおいては、前記媒体収納具保管手段は、前記媒体収納具が収容される収容部を含んでいてもよい。
【００１０】
この場合、前記媒体収納具には当該媒体収納具の識別情報を示す識別部材が設けられており、前記収容部には、前記媒体収納具に設けられた識別部材における識別情報を読み取る読取部が設けられていてもよい。
【００１１】
また、１つの前記収容部に複数の前記媒体収納具が収容されるようになっていてもよい。
【００１２】
あるいは、１つの前記収容部に１つの前記媒体収納具が収容されるようになっていてもよい。
【００１３】
この場合、複数の精算所に対応するよう複数の前記収容部が設けられていてもよい。
【００１４】
本発明の貨幣処理システムにおいては、前記貨幣処理装置の管理権限と前記カセット保管装置の管理権限とが互いに異なるようになっていてもよい。
【００１５】
本発明の貨幣処理システムは、前記貨幣収納カセットが着脱自在に装着され、貨幣の入金処理および出金処理を行う貨幣入出金装置を更に備えていてもよい。
【００１６】
この場合、前記貨幣入出金装置に装着された前記貨幣収納カセットの処理状態に係る情報を出力する出力手段が設けられていてもよい。
【００１７】
また、前記出力手段は、前記貨幣収納カセットの処理状態に係る情報として、当該貨幣収納カセットに収納されている貨幣の精算が終了したか否かに係る情報を出力するようになっていてもよい。
【００１８】
あるいは、前記出力手段は、前記貨幣収納カセットの処理状態に係る情報として、当該貨幣収納カセットに収納されている貨幣の情報を出力するようになっていてもよい。
【００１９】
本発明の貨幣処理システムにおいては、前記カセット保管装置は、操作者の権限を認証する認証手段および前記貨幣収納カセットをロックするロック機構を有しており、前記カセット保管装置から前記貨幣収納カセットを取り出す際に、前記認証手段により認証された操作者の権限に対応する前記ロック機構による前記貨幣収納カセットのロックのみが解除されるようになっていてもよい。
【００２０】
この場合、前記認証手段により認証された操作者の権限が予め設定されている特定の権限である場合にのみ前記媒体収納具保管手段から前記媒体収納具を取り出すことができるようになっていてもよい。
【００２１】
本発明のカセット保管装置は、貨幣処理装置に着脱自在に装着される、貨幣を収納する貨幣収納カセットを保管するためのカセット保管装置であって、前記貨幣収納カセットを保管するカセット保管手段と、前記貨幣収納カセットに収納される貨幣以外の媒体を収納する媒体収納具を保管する媒体収納具保管手段と、を備えたことを特徴とする。
【００２２】
このようなカセット保管装置によれば、貨幣収納カセットに収納される貨幣以外の媒体を収納する媒体収納具を媒体収納具保管手段により保管させることによって、このような貨幣収納カセットに収納される貨幣以外の媒体の処理をいつでも行うことができるようになり、よってカセット保管装置の利便性を向上させることができる。
【００２３】
本発明の保管方法は、貨幣処理装置に着脱自在に装着される、貨幣を収納する貨幣収納カセットを保管するためのカセット保管装置による保管方法であって、前記貨幣収納カセットをカセット保管手段により保管させる工程と、前記貨幣収納カセットに収納される貨幣以外の媒体を収納する媒体収納具を媒体収納具保管手段により保管させる工程と、を備えたことを特徴とする。
【００２４】
このような保管方法によれば、貨幣収納カセットに収納される貨幣以外の媒体を収納する媒体収納具を媒体収納具保管手段により保管させることによって、このような貨幣収納カセットに収納される貨幣以外の媒体の処理をいつでも行うことができるようになり、よってカセット保管装置の利便性を向上させることができる。
【発明の効果】
【００２５】
本発明の貨幣処理システム、カセット保管装置および保管方法によれば、貨幣収納カセットに収納される貨幣以外の媒体を収納する媒体収納具を媒体収納具保管手段により保管させることによって、このような貨幣収納カセットに収納される貨幣以外の媒体の処理をいつでも行うことができるようになり、よってカセット保管装置の利便性を向上させることができる。
【図面の簡単な説明】
【００２６】
【図１】本発明の実施の形態における貨幣処理システムの構成の一例を概略的に説明するための概略構成図である。
【図２】図１に示す貨幣処理システムにおけるカセット保管装置の正面図である。
【図３】図２に示すカセット保管装置を左側方から見たときの構成を概略的に示す側面図である。
【図４】図１に示す貨幣処理システムにおける貨幣釣銭機および貨幣釣銭機に設けられるＰＯＳレジスタの構成を示す斜視図である。
【図５】図２等に示すカセット保管装置における制御系の構成を示す機能ブロック図である。
【図６】本発明の実施の形態における貨幣処理システムの構成の他の例を概略的に説明するための概略構成図である。
【図７】図６に示す貨幣処理システムにおける貨幣入出金機の構成を示す斜視図である。
【図８】図７に示す貨幣入出金機における制御系の構成を示す機能ブロック図である。
【図９】図１や図６に示す貨幣処理システムにおいて用いることができる、貨幣以外の媒体（例えば、商品券）を収納する媒体収納カセットの構成を概略的に示す斜視図である。
【発明を実施するための形態】
【００２７】
以下、図面を参照して本発明の実施の形態について説明する。図１乃至図９は、本実施の形態による貨幣処理システムおよびこのような貨幣処理システムに設けられたカセット保管装置、貨幣釣銭機および貨幣入出金機等を示す図である。このうち、図１は、本実施の形態における貨幣処理システムの構成の一例を概略的に説明するための概略構成図であり、図２および図３は、それぞれ、図１に示す貨幣処理システムにおけるカセット保管装置の正面図および側面図である。また、図４は、図１に示す貨幣処理システムにおける貨幣釣銭機および貨幣釣銭機に設けられるＰＯＳレジスタの構成を示す斜視図である。また、図５は、図２等に示すカセット保管装置における制御系の構成を示す機能ブロック図である。また、図６は、本実施の形態における貨幣処理システムの構成の他の例を概略的に説明するための概略構成図であり、図７は、図６に示す貨幣処理システムにおける貨幣入出金機の構成を示す斜視図であり、図８は、図７に示す貨幣入出金機における制御系の構成を示す機能ブロック図である。また、図９は、図１や図６に示す貨幣処理システムにおいて用いることができる、貨幣以外の媒体（例えば、商品券）を収納する媒体収納カセットの構成を概略的に示す斜視図である。
【００２８】
図１に示すように、コンビニエンスストアやスーパーマーケット等の商業施設の店舗において、顧客が立ち入ることができるフロント領域１２には様々な商品が陳列された商品棚が設置されているとともに、このフロント領域１２の精算所（具体的には、対面式レジカウンター）には貨幣釣銭機２０やＰＯＳレジスタ２８（図４参照）が設置されている。ここで、フロント領域１２に複数の精算所が設けられる場合には、各精算所にそれぞれ貨幣釣銭機２０およびＰＯＳレジスタ２８が設置されるようになる。顧客がこのような精算所で精算処理を行う際に、店員は、顧客から受け取った商品の代金としての貨幣を貨幣釣銭機２０に入金したり、釣銭としての貨幣を貨幣釣銭機２０から出金して顧客に返却したりするようになっている。また、ＰＯＳレジスタ２８により、顧客が購入した商品に係る情報や貨幣釣銭機２０に収納されている貨幣に係る情報等の管理が行われるようになっている。
【００２９】
また、このような店舗における顧客の立ち入りが禁止されたバックヤード領域１４（具体的には、例えば出納室）には、紙幣を収納する紙幣収納カセット８０や硬貨を収納する硬貨収納カセット８２を保管するためのカセット保管装置３０が設置されている。ここで、紙幣収納カセット８０および硬貨収納カセット８２は略同一の大きさの略直方体形状のケーシングを有しており、ケーシングの内部に紙幣や硬貨が収納されるようになっている。また、紙幣収納カセット８０および硬貨収納カセット８２には、それぞれ、これらの紙幣収納カセット８０や硬貨収納カセット８２に収納されている紙幣や硬貨に関する情報等の様々な情報を記憶するＩＣタグ等の記憶媒体８０ａ、８２ａが設けられている。また、紙幣収納カセット８０や硬貨収納カセット８２は、貨幣釣銭機２０およびカセット保管装置３０にそれぞれ着脱自在に装着されるようになっている。
【００３０】
また、バックヤード領域１４において、フロント領域１２に設置される各貨幣釣銭機２０から回収された貨幣や貨幣以外の媒体（例えば、商品券等）の精算を出納担当者６０が行うようになっている。
【００３１】
また、本実施の形態では、貨幣以外の媒体（例えば、貨幣釣銭機２０から回収される貨幣の情報が印字されたレシート（ジャーナル）や商品券等）が収納される媒体収納袋８４が用いられるようになっており、このような媒体収納袋８４もカセット保管装置３０により管理することができるようになっている。なお、媒体収納袋８４には、当該媒体収納袋８４の識別情報を示すＩＣタグやバーコード等の識別部材８４ａが設けられている。
【００３２】
また、図１に示すように、フロント領域１２に設置される各貨幣釣銭機２０およびバックヤード領域１４に設置されるカセット保管装置３０はローカルエリアネットワークにより通信可能に接続されるようになっている。具体的には、フロント領域１２の各精算所において貨幣釣銭機２０およびＰＯＳレジスタ２８が通信可能に接続されるとともに、各精算所のＰＯＳレジスタ２８が有線または無線のＬＡＮ１６によりカセット保管装置３０に通信可能に接続されている。また、各精算所のＰＯＳレジスタ２８が有線または無線のＬＡＮ１６によりカセット保管装置３０に通信可能に接続されることに加えて、あるいは各精算所のＰＯＳレジスタ２８が有線または無線のＬＡＮ１６によりカセット保管装置３０に通信可能に接続される代わりに、各精算所の貨幣釣銭機２０が有線または無線のＬＡＮ１６によりカセット保管装置３０に通信可能に接続されるようになっていてもよい。本実施の形態では、このような貨幣釣銭機２０およびカセット保管装置３０を組み合わせることにより本発明に係る貨幣処理システム１０が構成されている。なお、以下の説明では、フロント領域１２に設置される各貨幣釣銭機２０およびバックヤード領域１４に設置されるカセット保管装置３０の管理権限が全て店舗側にある場合について述べる。
【００３３】
カセット保管装置３０の構成の詳細について図２および図３を用いて説明する。図２は、カセット保管装置３０の正面図であり、図３は、図２に示すカセット保管装置３０を左側方から見たときの構成を概略的に示す側面図である。図２および図３に示すように、カセット保管装置３０は、ベースユニット３０ａと、追加ユニット３０ｂと、媒体収納袋保管ユニット３０ｃとから構成されており、これらのベースユニット３０ａ、追加ユニット３０ｂ、媒体収納袋保管ユニット３０ｃは鉛直方向に沿って積み重ねられるよう配置されている。具体的には、各ユニット３０ａ、３０ｂ、３０ｃの上面または下面には他のユニット３０ａ、３０ｂ、３０ｃと連結するための連結具（図示せず）が設けられており、このような連結具により各ユニット３０ａ、３０ｂ、３０ｃは鉛直方向に連結されるようになる。
【００３４】
ベースユニット３０ａおよび追加ユニット３０ｂはそれぞれ紙幣収納カセット８０や硬貨収納カセット８２を管理するようになっている。より詳細には、ベースユニット３０ａや追加ユニット３０ｂは、それぞれ、紙幣収納カセット８０や硬貨収納カセット８２が収容されるカセット収容部３２と、カセット収容部３２に収容された紙幣収納カセット８０や硬貨収納カセット８２をロックするカセットロック機構４４と、カセット収容部３２に収容された紙幣収納カセット８０や硬貨収納カセット８２の記憶媒体８０ａ、８２ａから情報を読み取ったりこれらの記憶媒体８０ａ、８２ａに情報を書き込んだりするリーダライタ４２とを有している。また、ベースユニット３０ａの前面には、タッチパネル等の操作表示部３４およびバラ硬貨を投入するための硬貨投入部３６がそれぞれ設けられている。操作表示部３４には、各カセット収容部３２に収容されている紙幣収納カセット８０や硬貨収納カセット８２に関する情報、および後述する媒体収納袋保管ユニット３０ｃの袋収容部３１に収容されている媒体収納袋８４に関する情報等の様々な情報が表示されるようになっている。また、操作者は操作表示部３４によりカセット保管装置３０の制御部５０（後述）に様々な指令を入力することができるようになっている。また、ベースユニット３０ａの内部には、硬貨投入部３６により投入されたバラ硬貨を計数する硬貨計数部３７（図５参照）および硬貨計数部３７により計数された硬貨が集積される硬貨集積部３８がそれぞれ設けられている。なお、追加ユニット３０ｂにはこのような操作表示部３４、硬貨投入部３６、硬貨計数部３７、硬貨集積部３８は設けられていない。これらのベースユニット３０ａおよび追加ユニット３０ｂは、紙幣や硬貨等の貨幣を収納する貨幣収納カセットを保管するためのカセット保管手段として機能する。
【００３５】
上述したように、媒体収納袋保管ユニット３０ｃは媒体収納袋８４を管理するようになっている。より詳細には、媒体収納袋保管ユニット３０ｃの内部には、媒体収納袋８４が収容される袋収容部３１が設けられており、また、媒体収納袋保管ユニット３０ｃの前面には、媒体収納袋８４を投入するための袋投入部４０（具体的には、カセット保管装置３０の幅方向に延びる細長い投入口）が設けられている。また、袋収容部３１には、袋投入部４０により袋収容部３１に投入された媒体収納袋８４に設けられている識別部材８４ａにおける識別情報を読み取る読取部４６が設けられている。具体的には、識別部材８４ａとして媒体収納袋８４にＩＣタグが設けられている場合には読取部４６としてこのようなＩＣタグから情報を読み取るＩＣタグリーダが用いられる。また、識別部材８４ａとして媒体収納袋８４にバーコードが設けられている場合には読取部４６としてこのようなバーコードから情報を読み取るバーコードリーダが用いられる。なお、媒体収納袋８４の識別部材８４ａにおける識別情報を読み取る読取部４６が媒体収納袋保管ユニット３０ｃに設けられる代わりに、袋投入部４０により袋収容部３１に投入された媒体収納袋８４を検知する光センサ等の検知センサが媒体収納袋保管ユニット３０ｃに設けられてもよい。この場合には、媒体収納袋８４に識別部材８４ａを設ける必要がなくなる。なお、媒体収納袋８４に識別部材８４ａが設けられていなくても、レジ担当者が媒体収納袋保管ユニット３０ｃの袋投入部４０に媒体収納袋８４を投入する前に当該レジ担当者の識別情報を後述する認証手段５６により認証させることにより、認証手段５６により認証されたレジ担当者の識別情報および光センサ等の検知センサによる媒体収納袋８４の検知情報に基づいて媒体収納袋８４の識別情報をカセット保管装置３０の制御部５０（後述）は認識することができるようになる。また、更に他の例として、媒体収納袋８４に設けられている識別部材８４ａにおける識別情報を読み取る読取部４６が袋収容部３１に設けられる代わりに、袋投入部４０の近傍に読取部４６が設けられるようになっていてもよい。この場合には、レジ担当者は、袋投入部４０により袋収容部３１に投入される前の媒体収納袋８４の識別部材８４ａを読取部４６に読み取らせた後、袋投入部４０により媒体収納袋８４を袋収容部３１に投入するようになる。
【００３６】
また、媒体収納袋保管ユニット３０ｃの前面には扉４８が設けられるとともに、当該扉４８を閉状態でロックする扉ロック機構４９（図５参照）が設けられている。このような扉ロック機構４９による扉４８のロックが解除されないと、操作者は扉４８を開いて袋収容部３１の内部に収容されている媒体収納袋８４を取り出すことができないようになっている。なお、媒体収納袋保管ユニット３０ｃの前面に扉４８が設けられる代わりに、開閉シャッタが媒体収納袋保管ユニット３０ｃの前面に設けられるようになっていてもよい。この場合には、開閉シャッタにより媒体収納袋保管ユニット３０ｃの前面が開かれることにより、操作者は袋収容部３１の内部に収容されている媒体収納袋８４を取り出すことができるようになる。また、このような開閉シャッタは、後述する認証手段５６により認証された操作者の権限が所定の権限（例えば、出納担当者６０）である場合のみにおいて開くようになる。
【００３７】
図２および図３では、１つの袋収容部３１に複数の媒体収納袋８４が収容されるような例が示されている。しかしながら、本実施の形態ではこのような態様に限定されることはない。別の例として、媒体収納袋保管ユニット３０ｃに複数の袋収容部３１および各袋収容部３１に対応する袋投入部４０が設けられ、１つの袋収容部３１に１つの媒体収納袋８４が収容されるようになっていてもよい。より詳細には、フロント領域１２に複数の精算所が設けられ、各精算所にそれぞれ貨幣釣銭機２０が設置される場合には、複数の精算所にそれぞれ対応するよう複数の袋収容部３１が媒体収納袋保管ユニット３０ｃに設けられるようになる。このことにより、各袋収容部３１にそれぞれ精算所を割り当てることができるようになる。
【００３８】
本実施の形態では、カセット保管装置３０は、少なくとも、１つのベースユニット３０ａおよび１つの媒体収納袋保管ユニット３０ｃを組み合わせることにより構成することができるようになっている。また、このようなベースユニット３０ａおよび媒体収納袋保管ユニット３０ｃの組合せ体に対して追加ユニット３０ｂを増設することができるようになっている。なお、ベースユニット３０ａおよび媒体収納袋保管ユニット３０ｃの組合せ体に対して、追加ユニット３０ｂを増設することに加えて、あるいは追加ユニット３０ｂを増設する代わりに、媒体収納袋保管ユニット３０ｃを増設してもよい。
【００３９】
次に、このようなカセット保管装置３０における制御系の構成について図５を用いて説明する。図５に示すように、カセット保管装置３０にはＣＰＵ（中央演算処理ユニット）等の制御部５０が設けられており、カセットロック機構４４、リーダライタ４２、読取部４６、扉ロック機構４９、操作表示部３４および硬貨計数部３７がそれぞれ当該制御部５０に接続されている。このことにより、リーダライタ４２や読取部４６により読み取られた情報や硬貨計数部３７による硬貨の計数結果に係る情報、操作表示部３４に入力された情報は制御部５０に送られるようになる。また、制御部５０はカセットロック機構４４や扉ロック機構４９に指令信号を与えることによりこれらのカセットロック機構４４や扉ロック機構４９を制御したり、操作表示部３４に信号を送ることにより当該操作表示部３４における表示内容を決めたりするようになっている。
【００４０】
また、図５に示すように、制御部５０には記憶部５２、通信インターフェース部５４および認証手段５６がそれぞれ接続されている。ここで、記憶部５２は、ベースユニット３０ａや追加ユニット３０ｂにより管理される紙幣収納カセット８０や硬貨収納カセット８２に関する情報を記憶したり、媒体収納袋保管ユニット３０ｃにより管理される媒体収納袋８４に関する情報を記憶したりするようになっている。また、制御部５０は通信インターフェース部５４により外部装置と信号の送受信を行うことができるようになっている。具体的には、制御部５０は通信インターフェース部５４によりＬＡＮ１６を介して各貨幣釣銭機２０と様々な信号の送受信を行うようになっている。また、認証手段５６は、カセット保管装置３０を操作する操作者の識別情報や権限等を認証するようになっている。具体的には、例えば操作表示部３４により操作者が自分の識別番号およびパスワードを入力するような形式となっている場合には、認証手段５６は、操作表示部３４により入力された操作者の識別番号およびパスワードに基づいて当該操作者の識別情報や権限等を認証する。また、別の例として、認証手段５６として、操作者が所持するＩＤカード等の読み取りを行うカードリーダがカセット保管装置３０に設けられていてもよい。この場合には、認証手段５６は、カードリーダによりＩＤカード等から読み取られた情報に基づいて操作者の識別情報や権限等を認証するようになる。また、更に別の例として、認証手段５６として、操作者の生体認証（具体的には、顔認証や静脈認証）を行うものが用いられてもよい。
【００４１】
次に、店舗のフロント領域１２に設けられた貨幣釣銭機２０の構成の詳細について図４を用いて簡単に説明する。図４に示すように、本実施の形態による貨幣釣銭機２０は、上下に並ぶよう配置された硬貨処理装置２４および包装硬貨収納装置２６と、これらの硬貨処理装置２４や包装硬貨収納装置２６の隣に並ぶよう配置された紙幣処理装置２２とを備えており、紙幣処理装置２２や硬貨処理装置２４の上方にはＰＯＳレジスタ２８が載置されるようになっている。紙幣処理装置２２および硬貨処理装置２４は、それぞれ、紙幣や硬貨の入出金処理を行うようになっている。また、包装硬貨収納装置２６は、各金種の包装硬貨（同一金種の硬貨を一定枚数（例えば、２０枚や５０枚）だけ棒状にまとめてフィルムや包装紙等により包装したもの）を取り出し可能に収納するようになっている。また、紙幣や硬貨以外の媒体（例えば、商品券等）を包装硬貨収納装置２６に収納することができるようになっている。また、ＰＯＳレジスタ２８は、貨幣釣銭機２０の管理を行う管理装置として用いられるようになっている。
【００４２】
本実施の形態では、紙幣処理装置２２には、紙幣収納カセット８０が装着されるカセット装着部（図示せず）が設けられている。また、紙幣収納カセット８０の側面には開口８０ｂ（図１参照）が設けられており、紙幣収納カセット８０が紙幣処理装置２２のカセット装着部に装着されているときに、紙幣処理装置２２に設けられた搬送部（図示せず）から当該開口８０ｂを介して紙幣が紙幣収納カセット８０の内部に送られたり、紙幣収納カセット８０に収納されている紙幣が開口８０ｂを介して紙幣処理装置２２の搬送部に繰り出されたりするようになっている。より詳細には、紙幣収納カセット８０の内部には、当該紙幣収納カセット８０に収納されている紙幣を開口８０ｂから外部に繰り出す紙幣繰出機構が設けられている。また、紙幣収納カセット８０が紙幣処理装置２２のカセット装着部に装着されているときに、紙幣処理装置２２側から紙幣収納カセット８０の紙幣繰出機構に動力が伝達されるようになっている。このように、紙幣収納カセット８０が紙幣処理装置２２のカセット装着部から取り出された状態では当該紙幣収納カセット８０に収納されている紙幣を外部に繰り出させることができないため、紙幣収納カセット８０に収納されている紙幣のセキュリティ性を向上させることができる。なお、本実施の形態では、バックヤード領域１４において特定の権限を有する操作者（具体的には、出納担当者６０）のみが紙幣収納カセット８０から紙幣を取り出して当該紙幣の精算を行うことができるようになっている。また、紙幣処理装置２２には、カセット装着部に装着されている紙幣収納カセット８０の記憶媒体８０ａから情報を読み取ったり当該記憶媒体８０ａに情報を書き込んだりするリーダライタ（図示せず）が設けられている。
【００４３】
同様に、硬貨処理装置２４にも、硬貨収納カセット８２が装着されるカセット装着部（図示せず）が設けられている。そして、硬貨収納カセット８２が硬貨処理装置２４のカセット装着部から取り出された状態では当該硬貨収納カセット８２に収納されている硬貨を外部に繰り出させることができないようになっている。このことにより、硬貨収納カセット８２に収納されている硬貨のセキュリティ性を向上させることができる。なお、本実施の形態では、バックヤード領域１４において特定の権限を有する操作者（具体的には、出納担当者６０）のみが硬貨収納カセット８２から硬貨を取り出して当該硬貨の精算を行うことができるようになっている。また、硬貨処理装置２４には、カセット装着部に装着されている硬貨収納カセット８２の記憶媒体８２ａから情報を読み取ったり当該記憶媒体８２ａに情報を書き込んだりするリーダライタ（図示せず）が設けられている。
【００４４】
次に、店舗における貨幣等の運用方法について説明する。店舗の営業時間が終了すると、精算所で商品の精算業務を行っていたレジ担当者は貨幣釣銭機２０から貨幣や貨幣以外の媒体（例えば、商品券等）を回収する。具体的には、レジ担当者は、紙幣収納カセット８０を紙幣処理装置２２のカセット装着部に装着することにより、紙幣処理装置２２の内部に収納されている売上金としての紙幣を紙幣収納カセット８０に収納させる。また、レジ担当者は、硬貨収納カセット８２を硬貨処理装置２４のカセット装着部に装着することにより、硬貨処理装置２４の内部に収納されている売上金としての硬貨を硬貨収納カセット８２に収納させる。また、紙幣処理装置２２や硬貨処理装置２４においてカセット装着部に装着されている紙幣収納カセット８０や硬貨収納カセット８２に紙幣や硬貨が収納されると、収納された紙幣や硬貨に係る情報（具体的には、金種毎の枚数）等が紙幣処理装置２２や硬貨処理装置２４に設けられているリーダライタにより紙幣収納カセット８０や硬貨収納カセット８２の記憶媒体８０ａ、８２ａに書き込まれるようになる。また、貨幣釣銭機２０が設置されている精算所の識別番号や、レジ担当者の識別番号等の情報が紙幣収納カセット８０や硬貨収納カセット８２の記憶媒体８０ａ、８２ａに書き込まれるようになっていてもよい。また、レジ担当者は、貨幣釣銭機２０（具体的には、包装硬貨収納装置２６）に収納されている、貨幣以外の媒体（例えば、商品券等）を手で取りだし、この取り出された媒体を媒体収納袋８４に手で収納する。また、レジ担当者が貨幣釣銭機２０から貨幣や貨幣以外の媒体を回収する際に、回収された貨幣等に関する情報がプリンタ等の印字部によりレシートに印字される。このような情報が印字されたレシートをジャーナルともいう。レジ担当者は、プリンタ等の印字部により印字されたレシートも媒体収納袋８４に手で収納する。
【００４５】
フロント領域１２において貨幣釣銭機２０から貨幣や貨幣以外の媒体を回収したレジ担当者は、紙幣収納カセット８０、硬貨収納カセット８２および媒体収納袋８４をまとめてフロント領域１２からバックヤード領域１４に運搬する。そして、バックヤード領域１４に出納担当者６０がまだ残っていた場合にはこれらの紙幣収納カセット８０、硬貨収納カセット８２および媒体収納袋８４を出納担当者６０に手渡す。このことにより、出納担当者６０は、紙幣収納カセット８０や硬貨収納カセット８２から紙幣や硬貨を取り出してこれらの紙幣や硬貨の精算を行うことができるようになる。また、この際に、出納担当者６０は媒体収納袋８４から貨幣以外の媒体を取り出して当該媒体の処理を行う。具体的には、出納担当者６０により媒体収納袋８４から商品券等の有価媒体が取り出された場合には、出納担当者６０は有価媒体の精算を行う。一方、出納担当者６０により媒体収納袋８４からレシート（ジャーナル）が取り出された場合には、出納担当者６０は、紙幣収納カセット８０や硬貨収納カセット８２から取り出された紙幣や硬貨の金種毎の枚数と、レシートの印字内容とが一致するか否かを調べるようになる。
【００４６】
一方、レジ担当者による貨幣釣銭機２０からの貨幣の回収作業は営業時間後に行われるため、紙幣収納カセット８０、硬貨収納カセット８２および媒体収納袋８４がバックヤード領域１４に運搬された時刻が遅い場合には、出納担当者６０が既に退社していることがある。この場合には、レジ担当者は紙幣収納カセット８０、硬貨収納カセット８２および媒体収納袋８４をそれぞれカセット保管装置３０により保管させる。具体的には、レジ担当者は、ベースユニット３０ａや追加ユニット３０ｂに設けられているカセット収容部３２に紙幣収納カセット８０や硬貨収納カセット８２を収容する。カセット収容部３２に収容された紙幣収納カセット８０や硬貨収納カセット８２はカセットロック機構４４によりロックされるため、当該カセット収容部３２から取り出すことができなくなる。また、カセット収容部３２に収容された紙幣収納カセット８０や硬貨収納カセット８２の記憶媒体８０ａ、８２ａに記憶されている情報がリーダライタ４２により読み取られ、この読み取られた情報が制御部５０に送られる。また、レジ担当者は、媒体収納袋保管ユニット３０ｃの袋投入部４０に媒体収納袋８４を投入する。このことにより、媒体収納袋８４に投入された媒体収納袋８４は袋収容部３１に収容される。また、媒体収納袋８４に投入された媒体収納袋８４の識別部材８４ａにおける識別情報が読取部４６により読み取られ、この読み取られた情報が制御部５０に送られる。このことにより、制御部５０は、ベースユニット３０ａや追加ユニット３０ｂのカセット収容部３２に収容されている紙幣収納カセット８０や硬貨収納カセット８２に関する情報、および媒体収納袋保管ユニット３０ｃの袋収容部３１に収容されている媒体収納袋８４に関する情報をそれぞれ管理することができるようになる。
【００４７】
また、本実施の形態のカセット保管装置３０では、ベースユニット３０ａや追加ユニット３０ｂのカセット収容部３２に紙幣収納カセット８０や硬貨収納カセット８２が収容されると、各々のカセット収容部３２に収容されている紙幣収納カセット８０や硬貨収納カセット８２に関する情報が操作表示部３４に表示されるようになる。具体的には、操作表示部３４には、各カセット収容部３２におけるカセット８０、８２の有無や、収容されている紙幣収納カセット８０や硬貨収納カセット８２が空状態（すなわち、紙幣や硬貨が収納されていない状態）であるか否かという情報が表示される。また、後述するように、各カセット収容部３２に収容されている紙幣収納カセット８０や硬貨収納カセット８２に収納されている紙幣や硬貨について、出納担当者６０によって精算が終了したものであるか否かという情報や、貨幣釣銭機２０に補充されるべき釣銭準備金としての紙幣や硬貨であるか否かという情報が操作表示部３４に表示されるようになっていてもよい。
【００４８】
そして、翌営業日に出納担当者６０はカセット保管装置３０から紙幣収納カセット８０、硬貨収納カセット８２および媒体収納袋８４を取り出してこれらの紙幣収納カセット８０、硬貨収納カセット８２および媒体収納袋８４に収納されている貨幣や貨幣以外の媒体の精算を行う。具体的には、出納担当者６０はまず操作表示部３４に識別番号およびパスワードを入力したりＩＤカード等をカードリーダに読み取らせたりすることによって、当該出納担当者６０の識別情報および権限を認証手段５６により認証させる。そして、認証手段５６により認証された操作者の権限が所定の権限（ここでは、出納担当者）である場合には、制御部５０はカセットロック機構４４による各カセット８０、８２のロックを解除するとともに扉ロック機構４９による扉４８のロックを解除する。このことにより、出納担当者６０は各カセット収容部３２から紙幣収納カセット８０や硬貨収納カセット８２を取り出すとともに扉４８を開くことによって袋収容部３１から媒体収納袋８４を取り出すことができるようになる。このようにして、出納担当者６０は紙幣収納カセット８０、硬貨収納カセット８２および媒体収納袋８４から紙幣、硬貨、貨幣以外の媒体を取り出してこれらの精算を行う。
【００４９】
また、出納担当者６０は、営業時間の開始前に、貨幣釣銭機２０において釣銭として用いられる紙幣や硬貨（釣銭準備金）を紙幣収納カセット８０や硬貨収納カセット８２に収納する。その後、出納担当者６０は各精算所に対応するレジ担当者に紙幣収納カセット８０、硬貨収納カセット８２および空の媒体収納袋８４を手渡す。そして、レジ担当者は、紙幣収納カセット８０、硬貨収納カセット８２および空の媒体収納袋８４をバックヤード領域１４からフロント領域１２に運搬する。その後、レジ担当者により紙幣収納カセット８０が紙幣処理装置２２のカセット装着部に装着されたり硬貨収納カセット８２が硬貨処理装置２４のカセット装着部に装着されたりすると、釣銭準備金としての紙幣や硬貨が紙幣処理装置２２や硬貨処理装置２４に収納されるようになる。
【００５０】
以上のような構成からなる本実施の形態の貨幣処理システム１０によれば、カセット保管装置３０には、紙幣収納カセット８０や硬貨収納カセット８２（貨幣収納カセット）に収納される紙幣や硬貨等の貨幣以外の媒体を収納する媒体収納袋８４（媒体収納具）を保管する媒体収納具保管手段として媒体収納袋保管ユニット３０ｃが設けられている。このことにより、貨幣収納カセットに収納される貨幣以外の媒体の処理をいつでも行うことができるようになり、よってカセット保管装置３０の利便性を向上させることができる。より詳細に説明すると、従来のカセット保管装置では、貨幣収納カセットを保管することができるものの、貨幣以外の媒体を収納する媒体収納袋の保管を行うことができなかった。このため、営業時間後に貨幣釣銭機から硬貨や貨幣以外の媒体（例えば、商品券等）を回収したり、貨幣釣銭機のプリンタ等により印刷されたレシート（ジャーナル）をバックヤード領域で管理したりする場合には、レジ担当者は営業時間後に媒体収納袋に収納されている硬貨や貨幣以外の媒体の処理を行うようになり、出納担当者が夜遅くまで店舗に残らなければならないという問題があった。これに対し、本実施の形態の貨幣処理システム１０によれば、貨幣以外の媒体を収納する媒体収納袋８４を媒体収納袋保管ユニット３０ｃに保管させることにより、翌営業日に媒体収納袋８４に収納されている媒体の処理を行うことができるため、利便性の高いものとなる。
【００５１】
なお、本実施の形態の貨幣処理システム１０において、硬貨収納カセット８２が用いられず、紙幣収納カセット８０のみが用いられる場合がある。この場合には、フロント領域１２に設置されている貨幣釣銭機２０からレジ担当者が貨幣等の回収を行う際に、紙幣については紙幣処理装置２２のカセット装着部に紙幣収納カセット８０を装着させることにより紙幣処理装置２２から紙幣収納カセット８０に収納させることができるが、硬貨については硬貨処理装置２４の出金口に出金された硬貨をレジ担当者が当該出金口から手で取り出し、この取り出された硬貨を手で媒体収納袋８４に収納させるようになる。その後、レジ担当者は紙幣収納カセット８０および媒体収納袋８４をまとめてフロント領域１２からバックヤード領域１４に運搬する。そして、バックヤード領域１４に出納担当者６０が不在の場合は、レジ担当者は紙幣収納カセット８０をカセット保管装置３０に保管させるとともに媒体収納袋８４から硬貨を取り出し、この硬貨をベースユニット３０ａの硬貨投入部３６に投入する。硬貨投入部３６に投入された硬貨は硬貨計数部３７により計数された後、硬貨集積部３８に集積されるようになる。そして、レジ担当者は、硬貨が取り出された媒体収納袋８４を媒体収納袋保管ユニット３０ｃの袋収容部３１に収容する。
【００５２】
本実施の形態のカセット保管装置３０では、翌営業日に出納担当者６０が識別情報および権限を認証手段５６により認証させると、カセットロック機構４４による紙幣収納カセット８０のロックが解除されるとともに扉ロック機構４９による扉４８のロックが解除されることに加えて、硬貨集積部３８の手前側に設けられているシャッタ（図示せず）が開くことにより当該出納担当者６０は硬貨集積部３８から硬貨を取り出すことができるようになっている。このことにより、出納担当者６０は紙幣収納カセット８０に収納されている紙幣や媒体収納袋８４に収納されている商品券等の媒体に加えて、硬貨集積部３８から取り出された硬貨の精算を行うことができるようになる。
【００５３】
なお、紙幣収納カセット８０および媒体収納袋８４をまとめてフロント領域１２からバックヤード領域１４に運搬したレジ担当者は、媒体収納袋８４から硬貨を取り出して硬貨投入部３６に投入する代わりに、硬貨が収納されている媒体収納袋８４を媒体収納袋保管ユニット３０ｃの袋収容部３１に収容してもよい。この場合には、出納担当者６０は、袋収容部３１から媒体収納袋８４を取り出した後、この媒体収納袋８４から取り出された硬貨の精算を行うようになる。
【００５４】
以上のように、本実施の形態に係る貨幣処理システム１０において貨幣収納カセットとして紙幣収納カセット８０のみが用いられる場合には、すなわち貨幣収納カセットに収納される貨幣に硬貨が含まれない場合には、本発明に係る媒体収納具（具体的には、媒体収納袋８４）には、貨幣収納カセットに収納される貨幣以外の媒体として、硬貨も収納されるようになる。すなわち、本発明においては、「貨幣収納カセットに収納される貨幣」とは、あくまで貨幣収納カセットに収納することができる種類の貨幣（ここでは、紙幣）のことをいい、「貨幣収納カセットに収納される貨幣以外の媒体」として貨幣収納カセットに収納することができない貨幣（ここでは、硬貨）が含まれる場合がある。同様に、本実施の形態に係る貨幣処理システム１０において貨幣収納カセットとして硬貨収納カセット８２のみが用いられる場合には、すなわち貨幣収納カセットに紙幣を収納することができない場合には、本発明に係る媒体収納具（具体的には、媒体収納袋８４）には、貨幣収納カセットに収納される貨幣以外の媒体として、紙幣も収納されるようになる。また、本実施の形態では、貨幣収納カセットに収納される貨幣以外の媒体、すなわち本発明に係る媒体収納具に収納される媒体として、損券や損貨（すなわち、所定の損傷レベルよりも損傷している紙幣や硬貨）が含まれるようになっていてもよい。
【００５５】
また、上記の説明では、フロント領域１２に設置される各貨幣釣銭機２０およびバックヤード領域１４に設置されるカセット保管装置３０がローカルエリアネットワークにより通信可能に接続されるとともに、紙幣収納カセット８０、硬貨収納カセット８２および媒体収納袋８４にそれぞれ記憶媒体８０ａ、８２ａや識別部材８４ａが設けられる場合について述べたが、このような態様に限定されることはない。変形例に係る貨幣処理システム１０において、フロント領域１２に設置される各貨幣釣銭機２０およびバックヤード領域１４に設置されるカセット保管装置３０がローカルエリアネットワークにより通信可能に接続されるが、紙幣収納カセット８０、硬貨収納カセット８２および媒体収納袋８４に記憶媒体８０ａ、８２ａや識別部材８４ａが設けられていなくてもよい。この場合には、紙幣収納カセット８０や硬貨収納カセット８２に収納されている紙幣や硬貨の在高に係る情報はローカルエリアネットワークにより各貨幣釣銭機２０からカセット保管装置３０に送信されるようになる。また、この場合には、ベースユニット３０ａや追加ユニット３０ｂのカセット収容部３２には紙幣収納カセット８０や硬貨収納カセット８２を検知するための検知センサ（図示せず）が設けられるようになり、カセット保管装置３０のベースユニット３０ａや追加ユニット３０ｂに対する紙幣収納カセット８０や硬貨収納カセット８２の着脱は当該検知センサにより検知されるようになる。また、袋投入部４０により袋収容部３１に投入された媒体収納袋８４を検知する光センサ等の検知センサが媒体収納袋保管ユニット３０ｃに設けられるようになり、媒体収納袋保管ユニット３０ｃへの媒体収納袋８４の投入は当該検知センサにより検知されるようになる。一方、媒体収納袋保管ユニット３０ｃからの媒体収納袋８４の取り出しは扉４８が開閉されたことに基づいてみなし判断が行われるようになる。
【００５６】
また、別の変形例に係る貨幣処理システム１０において、紙幣収納カセット８０、硬貨収納カセット８２および媒体収納袋８４にそれぞれ記憶媒体８０ａ、８２ａや識別部材８４ａが設けられるが、フロント領域１２に設置される各貨幣釣銭機２０およびバックヤード領域１４に設置されるカセット保管装置３０がローカルエリアネットワークにより通信可能に接続されないようになっていてもよい。この場合には、カセット保管装置３０にタグリーダを設け、紙幣収納カセット８０、硬貨収納カセット８２および媒体収納袋８４にそれぞれ設けられたタグの情報をタグリーダによって読み取らせることにより、制御部５０は、紙幣収納カセット８０や硬貨収納カセット８２に収納されている紙幣や硬貨の在高に係る情報を取得するとともに、紙幣収納カセット８０、硬貨収納カセット８２および媒体収納袋８４がカセット保管装置３０に戻されたと判断する。このようなタグリーダはベースユニット３０ａや追加ユニット３０ｂの各カセット収容部３２および媒体収納袋保管ユニット３０ｃの袋収容部３１にそれぞれ設けてもよいし、あるいはカセット保管装置３０にタグリーダを１つだけ設けてもよい。後者の場合には、レジ担当者は、ベースユニット３０ａや追加ユニット３０ｂの各カセット収容部３２や媒体収納袋保管ユニット３０ｃの袋収容部３１に紙幣収納カセット８０、硬貨収納カセット８２および媒体収納袋８４を収容する前に、紙幣収納カセット８０、硬貨収納カセット８２および媒体収納袋８４に設けられているタグの情報をタグリーダにより読み取らせるようにする。
【００５７】
また、上記の説明では、フロント領域１２に設置される各貨幣釣銭機２０およびバックヤード領域１４に設置されるカセット保管装置３０の管理権限が全て店舗側にある場合について述べたが、このような態様に限定されることはない。変形例に係る貨幣処理システム１０において、フロント領域１２に設置される各貨幣釣銭機２０の管理権限は店舗側であるが、バックヤード領域１４に設置されるカセット保管装置３０の管理権限が店舗側ではなく警送会社側となっていてもよい。ここで、警送会社とは、店舗から売上金としての貨幣を回収し、自社の管理センターに運搬したり、管理センターから釣銭補充金としての貨幣を店舗に運搬したりするような会社のことをいい、売上金としての貨幣が店舗から警送会社の管理センターに運搬されると、この貨幣の金額に相当する相当額が警送会社により立て替えられて店舗の銀行口座に振り込まれるようになる。また、売上金としての貨幣が店舗から警送会社の管理センターに運搬されて当該管理センターで計数される代わりに、カセット保管装置３０と警送会社のサーバーとを通信可能に接続し、売上金としての貨幣に係る情報をカセット保管装置３０から警送会社のサーバーに送信するようにしてもよい。この場合には、ベースユニット３０ａや追加ユニット３０ｂのカセット収容部３２に紙幣収納カセット８０や硬貨収納カセット８２が収容され、これらの紙幣収納カセット８０や硬貨収納カセット８２に収納されている紙幣や硬貨の在高に係る情報がリーダライタ４２により紙幣収納カセット８０や硬貨収納カセット８２の記憶媒体８０ａ、８２ａから読み取られた時点で、紙幣収納カセット８０や硬貨収納カセット８２に収納されている紙幣や硬貨を警送会社のものとする。そして、売上金としての紙幣や硬貨が収納されている全ての紙幣収納カセット８０や硬貨収納カセット８２がカセット保管装置３０に保管された時点で、紙幣収納カセット８０や硬貨収納カセット８２に収納されている紙幣や硬貨の金額に相当する相当額が警送会社により立て替えられて店舗の銀行口座に振り込まれるようになる。
【００５８】
警送会社によりカセット保管装置３０が管理される場合には、貨幣釣銭機２０から回収された売上金としての紙幣や硬貨が収納されている紙幣収納カセット８０や硬貨収納カセット８２、および貨幣以外の媒体が収納されている媒体収納袋８４をレジ担当者がカセット保管装置３０に保管した後、警送会社の収集担当者がカセット保管装置３０から売上金としての紙幣や硬貨が収納されている紙幣収納カセット８０や硬貨収納カセット８２を取り出すようになる。より詳細に説明すると、貨幣釣銭機２０の紙幣処理装置２２や硬貨処理装置２４に紙幣収納カセット８０や硬貨収納カセット８２が装着される際に、これらの紙幣収納カセット８０や硬貨収納カセット８２に収納された紙幣や硬貨が売上金である旨の情報が各紙幣収納カセット８０、硬貨収納カセット８２の記憶媒体８０ａ、８２ａに書き込まれる。また、制御部５０は、認証手段５６により認証された操作者の権限が警送会社の収集担当者である場合には、リーダライタ４２により紙幣収納カセット８０、硬貨収納カセット８２の記憶媒体８０ａ、８２ａから読み取られた情報に基づいて、カセットロック機構４４による、売上金としての紙幣や硬貨が収納されている紙幣収納カセット８０、硬貨収納カセット８２のロックのみを解除するよう制御を行う。このことにより、警送会社の収集担当者以外の操作者（例えば、レジ担当者や出納担当者６０）は、売上金としての紙幣や硬貨が収納されている紙幣収納カセット８０や硬貨収納カセット８２をカセット保管装置３０から取り出すことができなくなる。そして、警送会社の収集担当者は、売上金としての紙幣や硬貨が収納されている紙幣収納カセット８０や硬貨収納カセット８２をカセット保管装置３０から取り出した後、これらの紙幣収納カセット８０や硬貨収納カセット８２を警送会社の管理センターに運搬する。また、警送会社の収集担当者は、貨幣以外の媒体（例えば、商品券等）が収納される媒体収納袋８４を媒体収納袋保管ユニット３０ｃから回収して警送会社の管理センターに運搬してもよい。このことにより、店舗における売上金としての貨幣や貨幣以外の媒体が警送会社の収集担当者により回収されるようになる。
【００５９】
また、貨幣釣銭機２０において、紙幣収納カセット８０や硬貨収納カセット８２の記憶媒体８０ａ、８２ａには、紙幣収納カセット８０や硬貨収納カセット８２に収納されている紙幣や硬貨の金種毎の枚数等に係る情報も書き込まれるため、警送会社の収集担当者は例えば管理センターにおいて紙幣収納カセット８０や硬貨収納カセット８２から実際に取り出された紙幣や硬貨の金種毎の枚数と記憶媒体８０ａ、８２ａから読み取られた情報とが一致するか否かを比べることができるようになる。また、硬貨収納カセット８２の記憶媒体８０ａ、８２ａから情報を読み取るハンディタイプの読取装置を警送会社の収集担当者が所持している場合には、当該収集担当者はカセット保管装置３０から取り出された紙幣収納カセット８０や硬貨収納カセット８２に収納されている売上金としての紙幣や硬貨の情報（具体的には、収納されている紙幣や硬貨の金種毎の枚数）をすぐに確認することができるようになる。
【００６０】
また、警送会社の収集担当者は、釣銭準備金としての紙幣や硬貨が収納されている紙幣収納カセット８０や硬貨収納カセット８２を予め自社の管理センターで準備しておき、店舗から売上金としての貨幣を回収する際に、このような釣銭準備金としての紙幣や硬貨が収納されている紙幣収納カセット８０や硬貨収納カセット８２を管理センターから店舗に運搬する。なお、この際に、警送会社の管理センターにおいて、紙幣収納カセット８０や硬貨収納カセット８２に収納されている紙幣や硬貨が釣銭準備金である旨の情報が各紙幣収納カセット８０、硬貨収納カセット８２の記憶媒体８０ａ、８２ａに書き込まれる。そして、売上金としての紙幣や硬貨が収納されている紙幣収納カセット８０や硬貨収納カセット８２を警送会社の収集担当者がカセット保管装置３０から取り出す際に、この収集担当者は釣銭準備金としての紙幣や硬貨が収納されている紙幣収納カセット８０や硬貨収納カセット８２をカセット保管装置３０に保管させる。その後、レジ担当者がカセット保管装置３０から釣銭準備金としての紙幣や硬貨が収納されている紙幣収納カセット８０や硬貨収納カセット８２を取り出し、この取り出された紙幣収納カセット８０や硬貨収納カセット８２をバックヤード領域１４からフロント領域１２に運搬することにより貨幣釣銭機２０の紙幣処理装置２２や硬貨処理装置２４に釣銭準備金としての紙幣や硬貨を補充する。具体的には、制御部５０は、認証手段５６により認証された操作者の権限がレジ担当者である場合には、リーダライタ４２により紙幣収納カセット８０、硬貨収納カセット８２の記憶媒体８０ａ、８２ａから読み取られた情報に基づいて、カセットロック機構４４による、釣銭準備金としての紙幣や硬貨が収納されている紙幣収納カセット８０、硬貨収納カセット８２のロックのみを解除するよう制御を行う。この際に、釣銭準備金としての紙幣や硬貨が収納されている紙幣収納カセット８０や硬貨収納カセット８２がそれぞれカセット保管装置３０に複数保管されている場合には、１つの紙幣収納カセット８０および１つの硬貨収納カセット８２のロックのみが解除されるようになる。このことにより、レジ担当者は、釣銭準備金としての紙幣が収納されている１つの紙幣収納カセット８０および釣銭準備金としての硬貨が収納されている１つの硬貨収納カセット８２のみをカセット保管装置３０から取り出すことができるようになる。
【００６１】
また、制御部５０は、認証手段５６により認証された操作者の権限が出納担当者６０である場合には、扉ロック機構４９による扉４８のロックのみを解除するようになっている。このことにより、出納担当者６０は扉４８を開くことによって袋収容部３１から媒体収納袋８４を取り出すことができるようになる。このようにして、出納担当者６０は媒体収納袋８４から貨幣以外の媒体を取り出してこの媒体の処理を行うことができるようになる。出納担当者６０により貨幣以外の媒体が取り出された空の媒体収納袋８４はレジ担当者によってフロント領域１２に戻されるようになる。なお、他の例として、制御部５０は、認証手段５６により認証された操作者の権限が出納担当者６０である場合には、扉ロック機構４９による扉４８のロックを解除することに加えて、カセットロック機構４４による、釣銭準備金としての紙幣や硬貨が収納されている紙幣収納カセット８０、硬貨収納カセット８２のロックを解除するようになっていてもよい。この場合には、釣銭準備金としての紙幣や硬貨が収納されている紙幣収納カセット８０、硬貨収納カセット８２を出納担当者６０がカセット保管装置３０から取り出してこれらの紙幣収納カセット８０、硬貨収納カセット８２に収納されている紙幣や硬貨を確認した後にレジ担当者に渡すことができるようになる。
【００６２】
なお、本発明による貨幣処理システムは、上述したような態様に限定されることはなく、様々な変更を加えることができる。
【００６３】
例えば、フロント領域１２の各精算所に設置される貨幣釣銭機２０に紙幣収納カセット８０や硬貨収納カセット８２が着脱自在に装着される代わりに、フロント領域１２のセルフチェックアウトに設けられたセルフレジや電子マネーチャージ機に紙幣収納カセット８０や硬貨収納カセット８２が着脱自在に装着されるようになっていてもよい。この場合には、セルフチェックアウトに設けられたセルフレジや電子マネーチャージ機から回収された紙幣や硬貨が紙幣収納カセット８０や硬貨収納カセット８２に収納された後、これらの紙幣収納カセット８０や硬貨収納カセット８２がカセット保管装置３０により保管されるようになる。
【００６４】
また、貨幣収納カセットに収納される貨幣以外の媒体を収納する媒体収納具は媒体収納袋８４に限定されることはない。媒体収納具として、袋以外のもの（例えば、プラスチックケース等）が用いられてもよい。この場合には、カセット保管装置には、このような袋以外の媒体収納具を保管する媒体収納具保管手段（例えば、プラスチックケース保管棚）が設けられるようになる。
【００６５】
また、本発明による貨幣処理システムとして図６に示すようなものが用いられてもよい。図６に示すような貨幣処理システム１０ａでは、店舗のバックヤード領域１４においてカセット保管装置３０に加えて貨幣入出金機７０（具体的には、例えば出納機）が設置されている。ここで、バックヤード領域１４に設置される貨幣入出金機７０は、貨幣釣銭機２０から回収された店舗の売上金としての貨幣の入金処理を行うことができるようになっている。また、貨幣釣銭機２０において釣銭としての貨幣が不足する場合には、貨幣入出金機７０から釣銭補充金としての貨幣を出金し、この貨幣入出金機７０から出金された釣銭補充金としての貨幣を貨幣釣銭機２０に補充することができるようになっている。また、図６に示すように、貨幣入出金機７０はＬＡＮ１６により各貨幣釣銭機２０およびカセット保管装置３０に通信可能に接続されている。
【００６６】
このような貨幣入出金機７０の構成について図７および図８を用いて簡単に説明する。図７は、貨幣入出金機７０の構成を示す斜視図であり、図８は、図７に示す貨幣入出金機７０における制御系の構成を示す機能ブロック図である。図７に示すように、貨幣入出金機７０は、紙幣の入金処理および出金処理を行う紙幣入出金装置７２、硬貨の入金処理および出金処理を行う硬貨入出金装置７４、および包装硬貨を収納する包装硬貨収納装置７６を備えている。図７に示すように、紙幣入出金装置７２および硬貨入出金装置７４は貨幣入出金機７０を手前側から見て左右に並ぶよう配置されており、これらの紙幣入出金装置７２および硬貨入出金装置７４の下方に包装硬貨収納装置７６が配置されている。また、硬貨入出金装置７４の上部にはタッチパネル等の操作表示部７９ａが設けられている。
【００６７】
また、図７に示す貨幣入出金機７０において、紙幣入出金装置７２には、紙幣収納カセット８０が装着されるカセット装着部７２ａ（図８参照）が設けられている。また、紙幣収納カセット８０の側面には開口８０ｂ（図６参照）が設けられており、紙幣収納カセット８０が紙幣入出金装置７２のカセット装着部７２ａに装着されているときに、紙幣入出金装置７２に設けられた搬送部（図示せず）から当該開口８０ｂを介して紙幣が紙幣収納カセット８０の内部に送られたり、紙幣収納カセット８０に収納されている紙幣が開口８０ｂを介して紙幣入出金装置７２の搬送部に繰り出されたりするようになっている。また、紙幣入出金装置７２には、カセット装着部７２ａに装着されている紙幣収納カセット８０の記憶媒体８０ａから情報を読み取ったり当該記憶媒体８０ａに情報を書き込んだりするリーダライタ７２ｂ（図８参照）が設けられている。
【００６８】
また、硬貨入出金装置７４には、硬貨収納カセット８２が装着されるカセット装着部７４ａ（図８参照）が設けられている。また、硬貨収納カセット８２が硬貨入出金装置７４のカセット装着部７４ａに装着されているときに、硬貨入出金装置７４から硬貨が硬貨収納カセット８２の内部に送られたり、硬貨収納カセット８２に収納されている硬貨が硬貨入出金装置７４の内部に送られたりするようになっている。また、硬貨入出金装置７４には、カセット装着部７４ａに装着されている硬貨収納カセット８２の記憶媒体８２ａから情報を読み取ったり当該記憶媒体８２ａに情報を書き込んだりするリーダライタ７４ｂ（図８参照）が設けられている。
【００６９】
次に、このような貨幣入出金機７０における制御系の構成について図８を用いて説明する。図８に示すように、貨幣入出金機７０にはＣＰＵ（中央演算処理ユニット）等の制御部７８が設けられており、紙幣入出金装置７２、硬貨入出金装置７４および包装硬貨収納装置７６がそれぞれ当該制御部７８に接続されている。このことにより、リーダライタ７２ｂ、７４ｂにより紙幣収納カセット８０や硬貨収納カセット８２の記憶媒体８０ａ、８２ａから読み取られた情報は制御部５０に送られるようになる。また、図８に示すように、制御部７８には操作表示部７９ａ、記憶部７９ｂ、通信インターフェース部７９ｃおよび印字部７９ｄがそれぞれ設けられている。操作表示部７９ａには、紙幣入出金装置７２、硬貨入出金装置７４に収納されている紙幣や硬貨の在高等に関する情報や、紙幣や硬貨の処理状況に係る情報等が表示されるようになっている。また、操作者は操作表示部７９ａにより貨幣入出金機７０の制御部７８に様々な指令を入力することができるようになっている。また、記憶部７９ｂには、紙幣入出金装置７２、硬貨入出金装置７４に収納されている紙幣や硬貨の在高等に関する情報や、紙幣や硬貨の処理履歴に係る情報等が記憶されるようになっている。また、制御部７８は通信インターフェース部７９ｃにより外部装置と信号の送受信を行うことができるようになっている。具体的には、制御部７８は通信インターフェース部７９ｃによりＬＡＮ１６を介して各貨幣釣銭機２０やカセット保管装置３０と様々な信号の送受信を行うようになっている。また、印字部７９ｄは、紙幣入出金装置７２、硬貨入出金装置７４に収納されている紙幣や硬貨の在高等に関する情報や、紙幣や硬貨の処理履歴に係る情報等をレシートに印字するようになっている。
【００７０】
次に、図６乃至図８に示すような貨幣処理システム１０ａが設けられた店舗における貨幣等の運用方法について説明する。店舗の営業時間が終了すると、精算所で商品の精算業務を行っていたレジ担当者は貨幣釣銭機２０から貨幣や貨幣以外の媒体（例えば、商品券等）を回収する。具体的には、レジ担当者は、紙幣収納カセット８０を紙幣処理装置２２のカセット装着部に装着することにより、紙幣処理装置２２の内部に収納されている売上金としての紙幣を紙幣収納カセット８０に収納させる。また、レジ担当者は、硬貨収納カセット８２を硬貨処理装置２４のカセット装着部に装着することにより、硬貨処理装置２４の内部に収納されている売上金としての硬貨を硬貨収納カセット８２に収納させる。また、紙幣処理装置２２や硬貨処理装置２４においてカセット装着部に装着されている紙幣収納カセット８０や硬貨収納カセット８２に紙幣や硬貨が収納されると、収納された紙幣や硬貨に係る情報（具体的には、金種毎の枚数）等が紙幣処理装置２２や硬貨処理装置２４に設けられているリーダライタにより紙幣収納カセット８０や硬貨収納カセット８２の記憶媒体８０ａ、８２ａに書き込まれるようになる。また、貨幣釣銭機２０が設置されている精算所の識別番号や、レジ担当者の識別番号が紙幣収納カセット８０や硬貨収納カセット８２の記憶媒体８０ａ、８２ａに書き込まれるようになっていてもよい。また、レジ担当者は、貨幣釣銭機２０（具体的には、包装硬貨収納装置２６）に収納されている紙幣や硬貨以外の媒体（例えば、商品券等）を手で取りだし、この取り出された媒体を媒体収納袋８４に手で収納する。また、レジ担当者が貨幣釣銭機２０から貨幣や貨幣以外の媒体を回収する際に、回収された貨幣等に関する情報がプリンタ等の印字部によりレシートに印字される。レジ担当者は、プリンタ等の印字部により印字されたレシートも媒体収納袋８４に手で収納する。
【００７１】
フロント領域１２において貨幣釣銭機２０から貨幣や貨幣以外の媒体を回収したレジ担当者は、紙幣収納カセット８０、硬貨収納カセット８２および媒体収納袋８４をまとめてフロント領域１２からバックヤード領域１４に運搬する。ここで、図６等に示すような貨幣処理システム１０ａでは、バックヤード領域１４に運搬された紙幣収納カセット８０や硬貨収納カセット８２に収納されている紙幣や硬貨を当日に貨幣入出金機７０に入金するか翌日に貨幣入出金機７０に入金するかを選択することができるようになっている。紙幣収納カセット８０や硬貨収納カセット８２に収納されている紙幣や硬貨を当日に貨幣入出金機７０に入金する場合には、レジ担当者は紙幣収納カセット８０を貨幣入出金機７０の紙幣入出金装置７２におけるカセット装着部７２ａに装着することにより、紙幣収納カセット８０に収納されている売上金としての紙幣を紙幣入出金装置７２に入金する。また、紙幣収納カセット８０の記憶媒体８０ａに記憶されている情報がリーダライタ７２ｂにより読み取られる。このことにより、紙幣収納カセット８０に収納されていた売上金としての紙幣の情報（具体的には、紙幣の金種毎の枚数）が貨幣入出金機７０の制御部７８により管理されるようになる。また、レジ担当者は硬貨収納カセット８２を貨幣入出金機７０の硬貨入出金装置７４におけるカセット装着部７４ａに装着することにより、硬貨収納カセット８２に収納されている売上金としての硬貨を硬貨入出金装置７４に入金する。また、硬貨収納カセット８２の記憶媒体８２ａに記憶されている情報がリーダライタ７４ｂにより読み取られる。このことにより、硬貨収納カセット８２に収納されていた売上金としての硬貨の情報（具体的には、硬貨の金種毎の枚数）が貨幣入出金機７０の制御部７８により管理されるようになる。
【００７２】
また、制御部７８は、カセット装着部７２ａ、７４ａに装着された紙幣収納カセット８０や硬貨収納カセット８２の処理状態に係る情報を出力する。すなわち、制御部７８は、貨幣入出金機７０の紙幣入出金装置７２や硬貨入出金装置７４に装着された紙幣収納カセット８０や硬貨収納カセット８２の処理状態に係る情報を出力する出力手段として機能する。制御部７８により出力された情報は、リーダライタ７２ｂ、７４ｂにより紙幣収納カセット８０や硬貨収納カセット８２の記憶媒体８０ａ、８２ａに書き込まれる。具体的には、制御部７８は、紙幣収納カセット８０や硬貨収納カセット８２の処理状態として、当該紙幣収納カセット８０や硬貨収納カセット８２に収納されている紙幣や硬貨の精算が終了したか否かに係る情報を出力し、この出力された情報をリーダライタ７２ｂ、７４ｂにより記憶媒体８０ａ、８２ａに書き込む。ここで、紙幣収納カセット８０や硬貨収納カセット８２に収納されている売上金としての紙幣や硬貨が全て紙幣入出金装置７２や硬貨入出金装置７４に入金された場合には、紙幣収納カセット８０や硬貨収納カセット８２に収納されている紙幣や硬貨の精算が終了したと判断されるようになっている。この場合には、収納されている紙幣や硬貨の精算が終了した旨の情報がリーダライタ７２ｂ、７４ｂにより記憶媒体８０ａ、８２ａに書き込まれる。あるいは、制御部７８は、紙幣収納カセット８０や硬貨収納カセット８２の処理状態として、当該紙幣収納カセット８０や硬貨収納カセット８２に収納されている紙幣や硬貨の情報（具体的には、紙幣や硬貨の金種毎の枚数）を出力し、この出力された情報をリーダライタ７２ｂ、７４ｂにより記憶媒体８０ａ、８２ａに書き込むようになっていてもよい。その後、紙幣入出金装置７２や硬貨入出金装置７４に紙幣や硬貨を収納させることにより空状態となった紙幣収納カセット８０や硬貨収納カセット８２をレジ担当者はカセット保管装置３０により保管させる。また、レジ担当者はフロント領域１２からバックヤード領域１４に運搬された媒体収納袋８４もカセット保管装置３０により保管させる。
【００７３】
一方、紙幣収納カセット８０や硬貨収納カセット８２に収納されている紙幣や硬貨を翌日に貨幣入出金機７０に入金する場合には、レジ担当者は、フロント領域１２からバックヤード領域１４に運搬された、売上金としての紙幣や硬貨が収納されている紙幣収納カセット８０や硬貨収納カセット８２（すなわち、収納されている紙幣や硬貨の精算が終了していない紙幣収納カセット８０や硬貨収納カセット８２）をカセット保管装置３０により保管させる。ここで、カセット収容部３２に収容された紙幣収納カセット８０や硬貨収納カセット８２の記憶媒体８０ａ、８２ａに記憶されている情報がリーダライタ４２により読み取られ、この読み取られた情報が制御部５０に送られる。このことにより、制御部５０は、カセット収容部３２に収容された紙幣収納カセット８０や硬貨収納カセット８２の処理状態を識別することができるようになる。そして、制御部５０により識別された紙幣収納カセット８０や硬貨収納カセット８２の処理状態は操作表示部３４に表示される。具体的には、操作表示部３４には、カセット収容部３２に収容されている各カセット８０、８２について、収納されている紙幣や硬貨の精算が終了しているか否かという情報（あるいは、空状態であるか否かという情報）が表示される。また、レジ担当者はフロント領域１２からバックヤード領域１４に運搬された媒体収納袋８４もカセット保管装置３０により保管させる。
【００７４】
図６等に示す貨幣処理システム１０ａでは、認証手段５６により認証された操作者の権限がレジ担当者である場合でも、制御部５０はカセットロック機構４４によるレジ担当者自身が担当する貨幣釣銭機２０に対応する各カセット８０、８２のロックを解除するようになっている。このことにより、貨幣釣銭機２０に釣銭準備金としての貨幣を補充しようとするレジ担当者は、まずカセット保管装置３０から紙幣収納カセット８０や硬貨収納カセット８２を取り出す。ここで、紙幣収納カセット８０や硬貨収納カセット８２が空状態である場合には（すなわち、売上金としての紙幣や硬貨が既に紙幣入出金装置７２や硬貨入出金装置７４に入金されている場合には）、レジ担当者はこのような紙幣収納カセット８０や硬貨収納カセット８２を紙幣入出金装置７２や硬貨入出金装置７４のカセット装着部７２ａ、７４ａに装着させる。このことにより、釣銭準備金としての紙幣や硬貨が紙幣入出金装置７２や硬貨入出金装置７４から紙幣収納カセット８０や硬貨収納カセット８２に収納されるようになる。また、カセット保管装置３０から取り出された紙幣収納カセット８０や硬貨収納カセット８２に売上金としての紙幣や硬貨がまだ収納されている場合にも、レジ担当者はこのような紙幣収納カセット８０や硬貨収納カセット８２を紙幣入出金装置７２や硬貨入出金装置７４のカセット装着部７２ａ、７４ａに装着させる。この場合には、まず、紙幣収納カセット８０や硬貨収納カセット８２に収納されている売上金としての紙幣や硬貨が紙幣入出金装置７２や硬貨入出金装置７４に入金される。その後、釣銭準備金としての紙幣や硬貨が紙幣入出金装置７２や硬貨入出金装置７４から紙幣収納カセット８０や硬貨収納カセット８２に収納されるようになる。そして、釣銭準備金としての紙幣や硬貨が紙幣収納カセット８０や硬貨収納カセット８２に収納されると、レジ担当者は紙幣収納カセット８０や硬貨収納カセット８２をバックヤード領域１４からフロント領域１２に運搬する。その後、レジ担当者により紙幣収納カセット８０が紙幣処理装置２２のカセット装着部に装着されたり硬貨収納カセット８２が硬貨処理装置２４のカセット装着部に装着されたりすると、釣銭準備金としての紙幣や硬貨が紙幣処理装置２２や硬貨処理装置２４に収納されるようになる。
【００７５】
また、図６等に示すような貨幣処理システム１０ａでは、カセット保管装置３０に紙幣収納カセット８０や硬貨収納カセット８２を保管させる前にこれらの紙幣収納カセット８０や硬貨収納カセット８２に収納されている紙幣や硬貨を紙幣入出金装置７２や硬貨入出金装置７４に入金する場合において、紙幣収納カセット８０や硬貨収納カセット８２から紙幣入出金装置７２や硬貨入出金装置７４に紙幣や硬貨が入金された後、引き続き釣銭準備金としての紙幣や硬貨が紙幣入出金装置７２や硬貨入出金装置７４から紙幣収納カセット８０や硬貨収納カセット８２に収納されるような運用が行われてもよい。この場合には、制御部７８は、紙幣収納カセット８０や硬貨収納カセット８２の処理状態として、当該紙幣収納カセット８０や硬貨収納カセット８２に釣銭準備金としての紙幣や硬貨が収納されている旨の情報を出力し、この出力された情報がリーダライタ７２ｂ、７４ｂにより記憶媒体８０ａ、８２ａに書き込まれる。また、釣銭準備金としての紙幣や硬貨が収納された紙幣収納カセット８０や硬貨収納カセット８２がカセット保管装置３０に保管されると、リーダライタ４２により紙幣収納カセット８０や硬貨収納カセット８２の記憶媒体８０ａ、８２ａから読み取られた情報に基づいて、カセット収容部３２に収容されている紙幣収納カセット８０や硬貨収納カセット８２に釣銭準備金としての紙幣や硬貨が収納されている旨の情報が操作表示部３４に表示されるようになる。この場合には、貨幣釣銭機２０に釣銭準備金としての貨幣を補充しようとするレジ担当者は、釣銭準備金としての紙幣や硬貨が収納されている紙幣収納カセット８０や硬貨収納カセット８２をカセット保管装置３０から取り出した後、貨幣入出金機７０を経由することなくそのままカセット保管装置３０から取り出された紙幣収納カセット８０や硬貨収納カセット８２をバックヤード領域１４からフロント領域１２に運搬し、貨幣釣銭機２０の紙幣処理装置２２や硬貨処理装置２４に装着させることにより釣銭準備金としての紙幣や硬貨の補充を行うことができるようになる。
【００７６】
また、本実施の形態では、貨幣釣銭機２０の包装硬貨収納装置２６に、図９に示すような媒体収納カセット８６が着脱自在に取り付けられるようになっていてもよい。このような媒体収納カセット８６には、包装硬貨以外の媒体（例えば、商品券やレシート等の紙葉類）が収納されるようになっている。具体的には、媒体収納カセット８６の前面には開口８６ｂが設けられており、媒体収納カセット８６が貨幣釣銭機２０の包装硬貨収納装置２６に装着されているときに、この媒体収納カセット８６の開口８６ｂが包装硬貨収納装置２６の手前側に露出するようになっている。この場合には、媒体収納カセット８６が貨幣釣銭機２０の包装硬貨収納装置２６に装着されているときでも、操作者は商品券やレシート等の紙葉類を開口８６ｂに投入することにより媒体収納カセット８６の内部に収納させることができるようになる。なお、図９の上下方向における開口８６ｂの長さは、包装硬貨を通過させることができないような大きさとなっている。このことにより、媒体収納カセット８６に包装硬貨が誤って収納されてしまうことを防止することができるようになる。また、媒体収納カセット８６は、紙幣収納カセット８０や硬貨収納カセット８２と略同一の大きさの略直方体形状のケーシングを有している。このことにより、カセット保管装置３０のカセット収容部３２に媒体収納カセット８６も収容させることができるようになる。
【００７７】
また、媒体収納カセット８６には、ＩＣタグ等の記憶媒体８６ａが設けられていてもよい。この場合には、貨幣釣銭機２０の包装硬貨収納装置２６に媒体収納カセット８６が装着されているときに当該媒体収納カセット８６の記憶媒体８６ａから情報を読み取ったり当該記憶媒体８６ａに情報を書き込んだりするリーダライタ（図示せず）が包装硬貨収納装置２６に設けられることが好ましい。このことにより、操作者が貨幣釣銭機２０の操作表示部やＰＯＳレジスタ２８によって媒体収納カセット８６に収納された商品券等の媒体の情報を入力することにより、当該情報をリーダライタによって媒体収納カセット８６の記憶媒体８６ａに書き込むことができるようになる。また、カセット保管装置３０のカセット収容部３２に媒体収納カセット８６が収容されたときに、この媒体収納カセット８６の記憶媒体８６ａに記憶されている情報をリーダライタ４２が読み取ることにより、カセット保管装置３０の制御部５０は媒体収納カセット８６に収納されている媒体に関する情報を管理することができるようになる。
【符号の説明】
【００７８】
１０、１０ａ  貨幣処理システム
１２    フロント領域
１４    バックヤード領域
２０    貨幣釣銭機
２２    紙幣処理装置
２４    硬貨処理装置
２６    包装硬貨収納装置
２８    ＰＯＳレジスタ
３０    カセット保管装置
３０ａ  ベースユニット
３０ｂ  追加ユニット
３０ｃ  媒体収納袋保管ユニット
３１    袋収容部
３２    カセット収容部
３４    操作表示部
３６    硬貨投入部
３７    硬貨計数部
３８    硬貨集積部
４０    袋投入部
４２    リーダライタ
４４    カセットロック機構
４６    読取部
４８    扉
４９    扉ロック機構
５０    制御部
５２    記憶部
５４    通信インターフェース部
５６    認証手段
６０    出納担当者
７０    貨幣入出金機
７２    紙幣入出金装置
７２ａ  カセット装着部
７２ｂ  リーダライタ
７４    硬貨入出金装置
７４ａ  カセット装着部
７４ｂ  リーダライタ
７６    包装硬貨収納装置
７８    制御部
７９ａ  操作表示部
７９ｂ  記憶部
７９ｃ  通信インターフェース部
７９ｄ  印字部
８０    紙幣収納カセット
８０ａ  記憶媒体
８０ｂ  開口
８２    硬貨収納カセット
８２ａ  記憶媒体
８４    媒体収納袋
８４ａ  識別部材
８６    媒体収納カセット
８６ａ  記憶媒体
８６ｂ  開口
【図１】
2018147130.tif 000003
【図２】
2018147130.tif 000004
【図３】
2018147130.tif 000005
【図４】
2018147130.tif 000006
【図５】
2018147130.tif 000007
【図６】
2018147130.tif 000008
【図７】
2018147130.tif 000009
【図８】
2018147130.tif 000010
【図９】
2018147130.tif 000011